【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
長手方向に連続する断面略Ｕ字状の保護部本体であって、該略Ｕ字状保護部本体の直線から曲部に接する近傍に凹部状に形成された屈曲部を少なくとも軟質のプラスチックで形成すると共に該保護部本体のＵ字状の両先端の双方から内部方向に折返す板状の接着支持体を該保護部本体と所定間隔を持って形成し、該接着支持体同士が対向する間隔を当接乃至若干の隙間とし、該接着支持体に接着体を設けたことを特徴とするコーナー部及びエッジ部の保護部材。
【請求項２】
保護部本体の断面略Ｕ字状の内側奥端に略Ｖ字状の保持ストッパー部を形成したことを特徴とする請求項１記載のコーナー部及びエッジ部の保護部材。
【請求項３】
保護部本体と接着支持体を連結する位置を該接着支持体の略中央としたことを特徴とする請求項１又は請求項２記載のコーナー部及びエッジ部の保護部材。
【請求項４】
接着支持体の接着体を再剥離可能な粘着体としたことを特徴とする請求項１から請求項３のいずれか一項に記載のコーナー部及びエッジ部の保護部材。
【手続補正２】
【補正対象書類名】明細書
【補正対象項目名】０００７
【補正方法】変更
【補正の内容】
【０００７】
【特許文献１】特開平７−２５２９１０号公報
【特許文献２】特開２００６−１７７１１４号公報
【特許文献３】特開平９−２２６８２２号公報
【特許文献４】特開平５−２９１７６４号公報
【手続補正３】
【補正対象書類名】明細書
【補正対象項目名】００１６
【補正方法】変更
【補正の内容】
【００１６】  本発明は、上記課題を有効に達成するために第１の解決手段として、長手方向に連続する断面略Ｕ字状の保護部本体であって、少なくとも凹部状に形成された屈曲部を軟質のプラスチックで形成すると共に該保護部本体のＵ字状の両先端の双方から内部方向に折返す板状の接着支持体を該保護部本体と所定間隔を持って形成し、該接着支持体同士が対向する間隔を当接乃至若干の隙間とし、該接着支持体に接着体を設けることで、
コーナー部及びエッジ部双方に保護部材が使用でき、またエッジ部の所定の板厚の範囲において柔軟に変形する作用にて装着できると共に常に接着する方向に弾性力が作用する。
【手続補正４】
【補正対象書類名】明細書
【補正対象項目名】００１７
【補正方法】変更
【補正の内容】
【００１７】  また、第２の解決手段は、断面略Ｕ字状の保護部本体の内側奥端に略Ｖ字状の保持ストッパー部を形成したことで、
所定の貼付け位置が設定できると共に保護部本体に掛る剥がす方向の外力が、小さくなるように作用する。
【手続補正５】
【補正対象書類名】明細書
【補正対象項目名】００１９
【補正方法】変更
【補正の内容】
【００１９】  さらに、第４の解決手段は、接着支持体の接着体を再剥離可能な粘着体としたことで、
保護部本体の弾性力と粘着体で接着支持体を保持し、剥がす時、端部から捲るように再剥離が可能であり再使用できる。
【手続補正６】
【補正対象書類名】明細書
【補正対象項目名】００２０
【補正方法】変更
【補正の内容】
【００２０】  本発明は、上述したそれぞれの手段によって有効な効果が得られるようにしたもので、特に第１の解決手段の長手方向に連続する断面略Ｕ字状の保護部本体であって、該略Ｕ字状保護部本体の直線から曲部に接する近傍に凹部状に形成された屈曲部を少なくとも軟質のプラスチックで形成すると共に該保護部本体のＵ字状の両先端の双方から内部方向に折返す板状の接着支持体を該保護部本体と所定間隔を持って形成し、該接着支持体同士が対向する間隔を当接乃至若干の隙間とし、該接着支持体に接着体を設けているので、
柱などのコーナー部及びテーブル板など板状体端面のエッジ部のどちらの場合にも、使用する相手側形状に適応するように保護部材が変形することで、それぞれ形状に対応して装着して使用でき、またその装着して接着支持する接着力は、保護部本体が接着支持体に対して、常に接着方向に弾性力を加える作用をしているので、剥がれにくく長期に使用でき、柱などのコーナー部及びテーブル板などに足など体の一部を衝打しても怪我等を防止できる。
【手続補正７】
【補正対象書類名】明細書
【補正対象項目名】００２３
【補正方法】変更
【補正の内容】
【００２３】  また、第２の解決手段の保護部本体の断面略Ｕ字状の内側奥端に略Ｖ字状の保持ストッパー部を形成しているので、
該保持ストッパー部により柱などのコーナー部及びテーブル板など板状体端面のエッジ部の両方に所定の貼付け基準位置が設定できるので接着作業が容易となり、また特に柱などのコーナー部に使用した場合、略Ｖ字状の保持ストッパー部がコーナー部を保持するため、保護部本体の先端横方向からの剥がす方向の外力が加わっても保護部本体のコーナー部がずれる事なく、そのことによっても接着支持体に対して剥がす方向の外力が小さくなり剥がれにくく、さらにテーブル板などのエッジ部に使用した場合、保護部本体の屈曲部に外力が加わっても略Ｖ字状の保持ストッパー部の先端側と該エッジ部の摩擦抵抗で、保護部本体の全体のねじれなどの変形が抑制されるので剥がれにくく、長期に使用できる。
【手続補正８】
【補正対象書類名】明細書
【補正対象項目名】００２５
【補正方法】変更
【補正の内容】
【００２５】接着支持体の接着体を再剥離可能な粘着体としているので、
再剥離、再使用が可能から、新築、引越し等で柱の角部などにその接着跡が残らず一時使用が可能となり、また建築現場の狭い通路、梁など頭部を衝打しそうな場所に適宜変更して使用することで怪我等を防止でき、さらに、保護部本体と接着支持体との所定間隔の隙間を有する形状が保護部本体への弾性力が生まれ、該弾性力が作用するので、外力に対しても接着支持体の粘着体が簡単に剥がれず、使用コストなど経済的メリットも得られる。
よって、本発明は、実用上著大な効果を奏する。
【手続補正９】
【補正対象書類名】明細書
【補正対象項目名】００２６
【補正方法】変更
【補正の内容】
【００２６】  本発明の実施例を図面に基づいて説明すると、図１において、１は保護部材で、該保護部材１は、長手方向に連続する断面略Ｕ字状の保護部本体２と略薄板状の接着支持体３，３を有し、該保護部本体２の略Ｕ字状の両先端側から内側に折返すように、該保護部本体２と接着支持体３，３所定間隔の隙間を持ってそれぞれ接着支持体３，３を設け、該接着支持体３，３同士が近接対向して、押出成形にて一体的に長手方向に該形状が連続して形成される。
【手続補正１０】
【補正対象書類名】明細書
【補正対象項目名】００２８
【補正方法】変更
【補正の内容】
【００２８】  また、図１に示すように、該保護部本体２は、その略Ｕ字状の奥端から外方向に向って略Ｖ字状の保持ストッパー部４を内側から突出するように内設すると共に該略Ｖ字状のその左右先端をストッパー部５，５として形成し、さらに該ストッパー部５，５の左右近傍に、若干肉厚の薄い屈曲部６，６をそれぞれ凹設し、そこから所定間隔を持って該屈曲部６，６と略同様の屈曲部６ａ，６ａを形成し、その形成位置は、接着支持体３，３の内側端部と略同位置の近傍とし、該屈曲部６，６及び屈曲部６ａ，６ａを軟質プラスチックで二色成形により形成する。
なお、図中７は衝撃に対する緩衝用の穴部７である。
【手続補正１１】
【補正対象書類名】明細書
【補正対象項目名】００３２
【補正方法】変更
【補正の内容】
【００３２】  そして、保護部材１の接着支持体３，３の間を拡開した時、図２に示すように、主に屈曲部６ａ、６ａが変形すると共にその弾性力が図中、矢印Ａ（矢印Ａは、上述した変形を加えた時の反作用による力で、接着方向、つまり閉り方向に働く弾性力で以後、弾性力Ａと記載する。）に示すように接着方向に常に働き、テーブル板など板状体端面のエッジ部９に強く接着される。
【手続補正１２】
【補正対象書類名】明細書
【補正対象項目名】００３６
【補正方法】変更
【補正の内容】
【００３６】  而して、図４に示す他の実施例の保護部材１ａは、上記実施例と略同様で、相違点に於いて、保護部本体２と接着支持体３，３の連結位置が端部ではなく、図４に示すように接着支持体３，３の略中央部で保護部本体２と連結し、保護部本体２に内設される部分と保護部本体２の両先端から突出する部分が形成されている。
【手続補正１３】
【補正対象書類名】明細書
【補正対象項目名】００４５
【補正方法】変更
【補正の内容】
【００４５】  加えて、屈曲部６，６及び屈曲部６ａ，６ａの変形度がより大きくなるように、硬度を変えて軟質プラスチックで二色成形により形成しているが、屈曲部６から屈曲部６の略Ｕ字状の曲り部分全体を軟質プラスチックとしても好ましい。
なお、本願に於いて使用される軟質プラスチックは、上述する弾性力Ａを得る必要から極端な軟質は適用せず、適用される形状、場所等に対応して適宜選ばれる。